【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって
キャリアのための同期信号ブロックを受信すること、前記同期信号ブロックは、同期信号ブロック送信属性に関連付けられる、と、
前記キャリアの帯域幅部分（ＢＷＰ）内の送信のために１つまたは複数のＢＷＰ送信属性を識別することと、
前記同期信号ブロック送信属性および前記１つまたは複数のＢＷＰ送信属性に少なくとも部分的に基づいて、前記キャリアの前記ＢＷＰにわたって送信を受信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、方法。
【請求項２】
前記送信は、ダウンリンク制御チャネル送信を備える、またはダウンリンク共有チャネル送信を備える、
請求項１に記載の方法。
【請求項３】
前記同期信号ブロック送信属性は、第１のサブキャリア間隔（ＳＣＳ）を備え、前記１つまたは複数のＢＷＰ送信属性は、第２のＳＣＳを備える、
請求項１に記載の方法。
【請求項４】
前記第１のＳＣＳおよび前記第２のＳＣＳは、異なる、
請求項３に記載の方法。
【請求項５】
前記１つまたは複数のＢＷＰ送信属性は、送信ビーム方向または受信ビーム方向を備える、
請求項１に記載の方法。
【請求項６】
前記１つまたは複数のＢＷＰ送信属性は、前記キャリアから受信した信号に少なくとも部分的に基づいて識別される、
請求項１に記載の方法。
【請求項７】
ワイヤレス通信のための方法であって、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記ＵＥに、前記同期信号ブロック送信属性および前記１つまたは複数のＢＷＰ送信属性に少なくとも部分的に基づいて、前記キャリアの前記ＢＷＰにわたって送信を送信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、方法。
【請求項８】
前記送信は、ダウンリンク制御チャネル送信を備える、または
ダウンリンク共有チャネル送信を備える、
請求項７に記載の方法。
【請求項９】
第２のＵＥに第２の送信を送信することをさらに備え、前記第２の送信は、前記送信と時間的に重複し、前記同期信号ブロックと時間的に重複せず、前記第２の送信を前記送信することは、前記送信と前記第２の送信との間の前記周波数領域にガードバンドを挿入することを備える、
請求項７に記載の方法。
【請求項１０】
前記同期信号ブロック送信属性は、第８のサブキャリア間隔（ＳＣＳ）を備え、前記１つまたは複数のＢＷＰ送信属性は、第２のＳＣＳを備える、
請求項７に記載の方法。
【請求項１１】
前記第１のＳＣＳおよび前記第２のＳＣＳは、異なる、
請求項１０に記載の方法。
【請求項１２】
前記１つまたは複数のＢＷＰ送信属性は、送信ビーム方向または受信ビーム方向を備える、
請求項７に記載の方法。
【請求項１３】
前記送信は、ダウンリンク送信であり、前記パターンは、前記ダウンリンク送信と前記同期信号ブロックとの間の前記周波数領域に挿入されたガードバンドを含む、請求項７または１０乃至１２のうちのいずれか１項に記載の方法。。
【請求項１４】
請求項１乃至６のいずれか１項に記載の方法を実行する手段を備える、ユーザ機器（ＵＥ）におけるワイヤレス通信のための装置。
【請求項１５】
請求項７乃至１３のいずれか１項に記載の方法を実行する手段を備える、ワイヤレス通信のための装置。
【手続補正２】
【補正対象書類名】明細書
【補正対象項目名】０２００
【補正方法】変更
【補正の内容】
【０２００】
[0209]本明細書での説明は、当業者が本開示を製造または使用することを可能にするために提供される。本開示に対する様々な修正は、当業者にとって容易に明らかとなり、本明細書に定義された包括的な原理は、本開示の範囲から逸脱することなしに他の変形に適用され得る。したがって、本開示は、本明細書で説明された例および設計に限定されるべきではなく、本明細書で開示された原理および新規の特徴に合致する最も広い範囲を与えられることとなる。
以下に、本願出願の当初の特許請求の範囲に記載された発明を付記する。
［Ｃ１］
ユーザ機器（ＵＥ）におけるワイヤレス通信のための方法であって
キャリアのための同期信号ブロックを受信すること、前記同期信号ブロックは、同期信号ブロック送信属性に関連付けられる、と、
前記キャリアの帯域幅部分（ＢＷＰ）内の送信のために１つまたは複数のＢＷＰ送信属性を識別することと、
前記同期信号ブロック送信属性および前記１つまたは複数のＢＷＰ送信属性に少なくとも部分的に基づいて、前記キャリアの前記ＢＷＰにわたって送信を受信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、方法。
［Ｃ２］
前記送信は、ダウンリンク制御チャネル送信を備える、
Ｃ１に記載の方法。
［Ｃ３］
前記送信は、ダウンリンク共有チャネル送信を備える、
Ｃ１に記載の方法。
［Ｃ４］
前記同期信号ブロック送信属性は、第１のサブキャリア間隔（ＳＣＳ）を備え、前記１つまたは複数のＢＷＰ送信属性は、第２のＳＣＳを備える、
Ｃ１に記載の方法。
［Ｃ５］
前記第１のＳＣＳおよび前記第２のＳＣＳは、異なる、
Ｃ４に記載の方法。
［Ｃ６］
前記１つまたは複数のＢＷＰ送信属性は、送信ビーム方向または受信ビーム方向を備える、
Ｃ１に記載の方法。
［Ｃ７］
前記１つまたは複数のＢＷＰ送信属性は、前記キャリアから受信した信号に少なくとも部分的に基づいて識別される、
Ｃ１に記載の方法。
［Ｃ８］
ワイヤレス通信のための方法であって、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記ＵＥに、前記同期信号ブロック送信属性および前記１つまたは複数のＢＷＰ送信属性に少なくとも部分的に基づいて、前記キャリアの前記ＢＷＰにわたって送信を送信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、方法。
［Ｃ９］
前記送信は、ダウンリンク制御チャネル送信を備える、
Ｃ８に記載の方法。
［Ｃ１０］
前記送信は、ダウンリンク共有チャネル送信を備える、
Ｃ８に記載の方法。
［Ｃ１１］
第２のＵＥに第２の送信を送信することをさらに備え、前記第２の送信は、前記送信と時間的に重複し、前記同期信号ブロックと時間的に重複せず、前記第２の送信を前記送信することは、前記送信と前記第２の送信との間の前記周波数領域にガードバンドを挿入することを備える、
Ｃ８に記載の方法。
［Ｃ１２］
前記同期信号ブロック送信属性は、第８のサブキャリア間隔（ＳＣＳ）を備え、前記１つまたは複数のＢＷＰ送信属性は、第２のＳＣＳを備える、
Ｃ８に記載の方法。
［Ｃ１３］
前記第１のＳＣＳおよび前記第２のＳＣＳは、異なる、
Ｃ１２に記載の方法。
［Ｃ１４］
前記１つまたは複数のＢＷＰ送信属性は、送信ビーム方向または受信ビーム方向を備える、
Ｃ８に記載の方法。
［Ｃ１５］
ワイヤレス通信のための方法であって、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記同期信号ブロック送信属性および前記１つまたは複数のＢＷＰ送信属性に少なくとも部分的に基づいて、前記キャリアの前記ＢＷＰにわたってダウンリンク送信を前記ＵＥに送信すること、ここにおいて、前記ダウンリンク送信は、時分割多重化スキームおよび周波数分割多重化スキームを備える複数のあらかじめ定義された多重化スキームから選択されたパターンに従って前記同期信号ブロックと多重化され、前記パターンは、前記ダウンリンク送信と前記同期信号ブロックとの間の前記周波数領域に挿入されたガードバンドを含む、と
を備える、方法。
［Ｃ１６］
前記同期信号ブロック送信属性は、第１のサブキャリア間隔（ＳＣＳ）を備え、前記１つまたは複数のＢＷＰ送信属性は、第２のＳＣＳを備える、
Ｃ１５に記載の方法。
［Ｃ１７］
前記第１のＳＣＳおよび前記第２のＳＣＳは、異なる、
Ｃ１６に記載の方法。
［Ｃ１８］
前記１つまたは複数のＢＷＰ送信属性は、送信ビーム方向または受信ビーム方向を備える、
Ｃ１５に記載の方法。
［Ｃ１９］
ユーザ機器（ＵＥ）におけるワイヤレス通信のための装置であって、
キャリアのための同期信号ブロックを受信するための手段、前記同期信号ブロックは、同期信号ブロック送信属性に関連付けられる、と、
前記キャリアの帯域幅部分（ＢＷＰ）内の送信のための１つまたは複数のＢＷＰ送信属性を識別するための手段と、
前記同期信号ブロック送信属性および前記１つまたは複数のＢＷＰ送信属性に少なくとも部分的に基づいて、前記キャリアの前記ＢＷＰにわたって送信を受信するための手段、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、装置。
［Ｃ２０］
前記送信は、ダウンリンク制御チャネル送信を備える、
Ｃ１９に記載の装置。
［Ｃ２１］
前記送信は、ダウンリンク共有チャネル送信を備える、
Ｃ１９に記載の装置。
［Ｃ２２］
前記同期信号ブロック送信属性は、第１のサブキャリア間隔（ＳＣＳ）を備え、前記１つまたは複数のＢＷＰ送信属性は、第２のＳＣＳを備える、
Ｃ１９に記載の装置。
［Ｃ２３］
前記第１のＳＣＳおよび前記第２のＳＣＳは、異なる、
Ｃ２２に記載の装置。
［Ｃ２４］
前記ＢＷＰの１つまたは複数の送信属性は、送信ビーム方向または受信ビーム方向を備える、
Ｃ１９に記載の装置。
［Ｃ２５］
前記１つまたは複数のＢＷＰ送信属性は、前記キャリアから受信した信号に少なくとも部分的に基づいて識別される、
Ｃ１９に記載の装置。
［Ｃ２６］
ワイヤレス通信のための装置であって、
ユーザ機器（ＵＥ）に、キャリアのための同期信号ブロックを送信するための手段、前記同期信号ブロックは、同期信号ブロック送信属性に関連付けられる、と、
前記キャリアの帯域幅部分（ＢＷＰ）内の送信のための１つまたは複数のＢＷＰ送信属性を構成するための手段と、
前記ＵＥに、前記同期信号ブロック送信属性および前記１つまたは複数のＢＷＰ送信属性に少なくとも部分的に基づいて、前記キャリアの前記ＢＷＰにわたって送信を送信するための手段、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、装置。
［Ｃ２７］
前記送信は、ダウンリンク制御チャネル送信を備える、
Ｃ２６に記載の装置。
［Ｃ２８］
前記送信は、ダウンリンク共有チャネル送信を備える、
Ｃ２６に記載の装置。
［Ｃ２９］
前記命令は、前記装置に、
第２のＵＥに第２の送信を送信することを前記命令に行わせるように前記プロセッサによってさらに実行可能であり、前記第２の送信は、前記送信と時間的に重複し、前記同期信号ブロックと時間的に重複せず、前記第２の送信を前記送信することは、前記送信と前記第２の送信との間の前記周波数領域にガードバンドを挿入することを備える、
Ｃ２６に記載の装置。
［Ｃ３０］
前記同期信号ブロック送信属性は、第１のサブキャリア間隔（ＳＣＳ）を備え、前記１つまたは複数のＢＷＰ送信属性は、第２のＳＣＳを備える、
Ｃ２６に記載の装置。
［Ｃ３１］
前記第１のＳＣＳおよび前記第２のＳＣＳは、異なる、
Ｃ３０に記載の装置。
［Ｃ３２］
前記１つまたは複数のＢＷＰ送信属性は、送信ビーム方向または受信ビーム方向を備える、
Ｃ２６に記載の装置。
［Ｃ３３］
ワイヤレス通信のための装置であって、
ユーザ機器（ＵＥ）に、キャリアのための同期信号ブロックを送信するための手段、前記同期信号ブロックは、同期信号ブロック送信属性に関連付けられる、と、
前記キャリアの帯域幅部分（ＢＷＰ）内の送信のための１つまたは複数のＢＷＰ送信属性を構成するための手段と、
前記同期信号ブロック送信属性および前記１つまたは複数のＢＷＰ送信属性に少なくとも部分的に基づいて、前記キャリアの前記ＢＷＰにわたってダウンリンク送信を前記ＵＥに送信するための手段、ここにおいて、前記ダウンリンク送信は、時分割多重化スキームおよび周波数分割多重化スキームを備える複数のあらかじめ定義された多重化スキームから選択されたパターンに従って前記同期信号ブロックと多重化され、前記パターンは、前記ダウンリンク送信と前記同期信号ブロックとの間の前記周波数領域に挿入されたガードバンドを含む、と
を備える、装置。
［Ｃ３４］
前記同期信号ブロック送信属性は、第１のサブキャリア間隔（ＳＣＳ）を備え、前記１つまたは複数のＢＷＰ送信属性は、第２のＳＣＳを備える、
Ｃ３２に記載の装置。
［Ｃ３５］
前記第１のＳＣＳおよび前記第２のＳＣＳは、異なる、
Ｃ３４に記載の装置。
［Ｃ３６］
前記１つまたは複数のＢＷＰ送信属性は、送信ビーム方向または受信ビーム方向を備える、
Ｃ３２に記載の装置。
［Ｃ３７］
ユーザ機器（ＵＥ）におけるワイヤレス通信のための装置であって、
プロセッサと、
前記プロセッサと電子通信中のメモリと、
前記メモリ中に記憶され、前記装置に、
キャリアのための同期信号ブロックを受信すること、前記同期信号ブロックは、同期信号ブロック送信属性に関連付けられる、と、
前記キャリアの帯域幅部分（ＢＷＰ）内の送信のために１つまたは複数のＢＷＰ送信属性を識別することと、
前記同期信号ブロック送信属性および前記１つまたは複数のＢＷＰ送信属性に少なくとも部分的に基づいて、前記キャリアの前記ＢＷＰにわたって送信を受信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を行わせるように前記プロセッサによって実行可能である、装置。
［Ｃ３８］
ワイヤレス通信のための装置であって、
プロセッサと、
前記プロセッサと電子通信中のメモリと、
前記メモリ中に記憶され、前記装置に、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記ＵＥに、前記同期信号ブロック送信属性および前記１つまたは複数のＢＷＰ送信属性に少なくとも部分的に基づいて、前記キャリアの前記ＢＷＰにわたって送信を送信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を行わせるように前記プロセッサによって実行可能である、装置。
［Ｃ３９］
ワイヤレス通信のための装置であって、
プロセッサと、
前記プロセッサと電子通信中のメモリと、
前記メモリ中に記憶され、前記装置に、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記同期信号ブロック送信属性および前記１つまたは複数のＢＷＰ送信属性に少なくとも部分的に基づいて、前記キャリアの前記ＢＷＰにわたってダウンリンク送信を前記ＵＥに送信すること、ここにおいて、前記ダウンリンク送信は、時分割多重化スキームおよび周波数分割多重化スキームを備える複数のあらかじめ定義された多重化スキームから選択されたパターンに従って前記同期信号ブロックと多重化され、前記パターンは、前記ダウンリンク送信と前記同期信号ブロックとの間の前記周波数領域に挿入されたガードバンドを含む、と
を行わせるように前記プロセッサによって実行可能である、装置。